(57)【特許請求の範囲】
【請求項１】
上下方向を向く木製の支柱本体の下端に前方を向く木製のベース脚を設けた、側面視Ｌ字形をなす商品陳列棚における支柱構造であって、前記支柱本体の前面に、前方が開口する上下方向を向く凹溝を設け、この凹溝の下端部に、前記ベース脚の後端面に後向きに突設した突部を嵌着するとともに、前記凹溝内におけるベース脚の嵌着部よりも上方に、平面視コ字状断面をなし、かつ前面に複数の係止孔を上下方向に沿って列設してなる取付金具を固着し、ベース脚の後端部上面と、支柱本体の凹溝の溝底面とを、側面視Ｌ字形の上部連結金具により連結したことを特徴とする商品陳列棚における支柱構造。
【請求項２】
上部連結金具における垂直片の左右寸法を、取付金具の左右両側片の対向面間の寸法より小とした請求項１に記載の商品陳列棚における支柱構造。
【請求項３】
ベース脚における上部連結金具の水平片の取付面を、少なくとも水平片の板厚分だけ凹ませた請求項１または２に記載の商品陳列棚における支柱構造。
【請求項４】
支柱本体の下端部後面と、ベース脚の後端部下面とを、側面視Ｌ字形の下部連結金具により連結した請求項１ないし３のいずれに記載の商品陳列棚における支柱構造。
【請求項５】
支柱本体とベース脚との左右寸法を等しくした請求項１ないし４のいずれかに記載の商品陳列棚における支柱構造。
【発明の詳細な説明】
【０００１】
【発明の属する技術分野】
本発明は、商品陳列棚における木製の支柱構造、詳しくは、強度を高めて多くの商品を陳列し得るようにした支柱構造に関する。
【０００２】
【従来の技術】
商品陳列棚の中には、左右方向に離間する側面視Ｌ字形をなす支柱を木製よりなるものとし、両支柱の前面にボルト等により固着されたブラケットにより、棚板を支持するようにしたものがある。
【０００３】
【発明が解決しようとする課題】
上述した木製の支柱を用いた商品陳列棚は、上下方向を向く支柱本体の曲げ強度やブラケットの取付強度が、金属製の支柱より小さく、また、支柱本体の下端に前向きとして取付けられたベース脚の取付部の強度も小さい。
【０００４】
従って、支柱に取付けられる棚板の数が制限されたり、重量のある商品を多数載置できないなど、商品の陳列量や種類等が制約されるという問題がある。
【０００５】
本発明は、上記問題点を解決するためになされたもので、木製の支柱としても、支柱本体の曲げ強度や棚板のブラケットの取付強度、及びベース脚の取付部の強度が高く、商品の陳列量を増大させることができるようにした商品陳列棚における支柱構造を提供することを目的としている。
【０００６】
【課題を解決するための手段】
上記目的を達成するために、本発明の支柱構造は、上下方向を向く木製の支柱本体の下端に前方を向く木製のベース脚を設けた、側面視Ｌ字形をなす商品陳列棚における支柱構造であって、前記支柱本体の前面に、前方が開口する上下方向を向く凹溝を設け、この凹溝の下端部に、前記ベース脚の後端面に後向きに突設した突部を嵌着するとともに、前記凹溝内におけるベース脚の嵌着部よりも上方に、平面視コ字状断面をなし、かつ前面に複数の係止孔を上下方向に沿って列設してなる取付金具を固着し、ベース脚の後端部上面と、支柱本体の凹溝の溝底面とを、側面視Ｌ字形の上部連結金具により連結したことを特徴としている。
上記構成の本発明によると、木製の支柱本体の前面の凹溝内に、前面に複数の係止孔を列設した取付金具を固着したことにより、支柱本体が補強され、曲げ強度が高まる。また、ベース脚の後端部上面と、支柱本体の凹溝の溝底面とを、側面視Ｌ字形の上部連結金具により連結することで、支柱本体へのベース脚の取付部の強度が高まるとともに、上部連結金具の垂直片が凹溝内に収容されるので、見栄えが向上する。更に、ベース脚は、その後端部の突部が、支持本体の凹溝内に嵌着されているため、ベース脚が左右方向に動くのが防止される。
【０００８】
上記支柱構造において、上部連結金具における垂直片の左右寸法を、取付金具の左右両側片の対向面間の寸法より小とするのが好ましい。
このようにすると、上部連結金具の垂直片が、取付金具内において凹溝の溝底面に固定され、外部より見えなくなるので、見栄えがより向上する。
【０００９】
上記支柱構造において、ベース脚における上部連結金具の水平片の取付面を、少なくとも水平片の板厚分だけ凹ませるのが好ましい。
このようにすると、上部連結金具の水平片が、ベース脚の上面より突出しなくなるので、体裁がよく、また、ベース脚の上面に棚板を載置する際の障害になることがない。
【００１０】
上記支柱構造において、支柱本体の下端部後面と、ベース脚の後端部下面とを、側面視Ｌ字形の下部連結金具により連結するのが好ましい。
このようにすると、上部連結金具と併用することにより、ベース脚の取付部の強度がより高まる。
【００１１】
上記支柱構造において、支柱本体とベース脚との左右寸法を等しくするのが好ましい。
このようにすると、支柱本体とベース脚の内側面と外側面が同一面となるので、支柱に一体感が形成され、見栄えが向上する。
【００１２】
【発明の実施の形態】
以下、本発明の実施形態を図面に基づいて説明する。
【００１３】
図１は、本発明を適用した商品陳列棚の斜視図を示すもので、左右の支柱１，１は、木製角材よりなる支柱本体１ａと、その下端の前面に前方を向いて取付けられた木製角材よりなる短寸のベース脚１ｂとにより、側面視Ｌ字形をなしている。支柱本体１ａとベース脚１ｂの左右寸法は等しくしてある。
【００１４】
両支柱本体１ａの対向面に形成された上下方向を向く嵌合溝２には、後面板３が、上方より落とし込んで取付けられている。両支柱本体１ａの上端の対向面間には、その前後寸法と等しい幅寸法の木製の連結杆４が取付けられている。
【００１５】
図２ないし図４に示すように（左右対称で同一構成であるため、右方のみ図示する）、左右の支柱本体１ａの前面には、前方が開口する凹溝５が全長に亘って形成され、その凹溝５の下端部に、上記ベース脚１ｂが嵌合されている。
【００１６】
すなわち、ベース脚１ｂの後端には、凹溝５の幅及び深さとほぼ等しい嵌合突部６が突設され、その後端面には、凹溝５の溝底面に形成された嵌合孔７に嵌合可能な上下２個の軸状突部８が突設されている。
【００１７】
上記嵌合突部６を、上下の軸状突部８と嵌合孔７とを整合させるようにして、凹溝５の下端部に強く押込むことにより、ベース脚１ｂは、その下面が支柱本体１ａの下端面と同一面をなすように嵌合されている。
【００１８】
ベース脚１ｂの嵌合後において、その後端部上面と凹溝５の溝底面とは、その部分に側面視Ｌ字形の上部連結金具９をねじ１０により固定することにより、連結されている。
【００１９】
なお、ベース脚１ｂの上面における上部連結金具９の水平片９ａの取付部には、その板厚分だけ凹ませた凹部１１が形成され、水平片９ａの上面がベース脚１ｂの上面と同一面となるようにしてある。
【００２０】
支柱本体１ａの下端部後面とベース脚１ｂの後端部下面とは、その部分に側面視Ｌ字形をなす下部連結金具１２をねじ１０により固定することにより、連結されている。
【００２１】
下部連結金具１２の水平片１２ａの後端部上面の雌ねじ筒１３と、ベース脚１ｂの前端部下面に嵌着された雌ねじ筒（図示略）とには、アジャスタボルト１４，１４が下方より螺合されている。
【００２２】
左右の支柱本体１ａの凹溝５におけるベース脚１ｂの嵌合部より上方には、平面視コ字形をなすとともに、前面の左右両側部に、複数の縦長スリット状の係止孔１５が上下方向に列設された取付金具１６が嵌合され、上下複数個所が皿ねじ１７により固定されている。また、取付金具１６の前面と、支柱本体１ａの前面とは同一面をなすようにしてある。
【００２３】
また、上記上部連結金具９の左右寸法を、取付金具１６の左右両側片１６ａの対向面間の寸法よりも小さくすることにより、上部連結金具９の垂直片９ｂが、取付金具１６内に収容されて覆われるようになっている。
【００２４】
図１に示すように、左右の取付金具１６の係止孔１５に、金属製のブラケット２２の後端の係合爪（図示略）を係合して取付け、その上面に棚板１８を取付けることにより、棚板１８は強固に支持される。
【００２５】
１９は、左右のベース脚１ｂの上面に取付けられる木製の側面板で、その板厚は、ベース脚１ｂの左右寸法と等しく、かつ前後寸法は、ベース脚１ｂの支柱本体１ａの前面より突出寸法と等寸とされている。
【００２６】
側面板１９の内側面上部には、板厚方向に凹ませた凹部２０が形成され、この凹部２０内の奥面のは、後面に、取付金具１６の係止孔１５に係合可能な上下２個の係合爪２１を有するブラケット２２が、ねじ２３により固定されている。
【００２７】
側面板１９の下面の前後部には、軸状突部２４，２４が下向きに突設され、両軸状突部２４は、ベース脚１ｂの上面に形成された係合孔２５に嵌合されるようになっている。なお、上記とは反対に、軸状突部２４をベース脚１ｂ側に、係合孔２５を側面板１９側に、それぞれ形成してもよい。
【００２８】
側面板１９の上面の前後の端部には、それに載置されるベース棚板２６の下面の係合孔（図示略）に嵌合可能な２個ずつの軸状突部２７が突設されている。両側面板１９は、そのブラケット２２の係合爪２１を、取付金具１６の適宜の係止孔１５に係合させるとともに、下面の軸状突部２４をベース脚１ｂの係合孔２５に嵌合することにより、ベース脚１ｂの上面に、左右方向に移動するのを防止されて安定的に取付けられる。
【００２９】
取付後において、両側面板１９上にベース棚板２６を載置すると、その下方に比較的大きな収納空間Ｓが形成され、その中に例えばキャスタ付きの引出し２８を収納することにより、これにストック商品等を体裁よく保管しておくことができる。
【００３０】
以上説明した商品陳列棚においては、支柱本体１ａを木製としても、その前面の凹溝５内にコ字形の取付金具１６を嵌着してあるため、支柱本体１ａが補強され、曲げ強度が高まる。
【００３１】
従って、棚板１８の支持強度も高くなり、その取付数を増やして多くの商品を陳列したり、重量のある商品を載置することができる。また、ベース脚１ｂの後端部は、支柱本体１ａの凹溝５内に嵌合され、しかも上下の連結金具９，１２により支柱本体１ａに結合されているため、ベース脚１ｂの取付部の強度が高まり、左右及び上下方向に動いたりするのが防止される。その結果、木製とした支柱１全体の強度が増大し、複数の棚板１８を安定的に支持することができる。
【００３２】
上部連結金具９の垂直片９ａは、取付金具１６内に位置して外部より見えないので、見栄えが向上する。また、水平片９ａも、ベース板１ｂの上面の凹部１１に嵌合されているので、段差が形成されることがなく、側面板１９の取付けの障害となることはない。
【００３３】
側面板１９は、ブラケット２２と軸状突部２４により、前後及び左右方向に移動するのが防止されて、ベース脚１ｂの上面に取付けられているので、ベース棚板２６が安定的に支持されるとともに、上下寸法の小さな汎用性の高いベース脚１ｂを使用して、所要大きさの収納空間Ｓを簡単に形成することができる。
【００３４】
しかも、収納空間Ｓの大きさは、上下寸法の異なる側面板１９を複数用意しておき、これを交換するだけで簡単かつ安価に変更することができる。
【００３５】
本発明は、上記実施形態に限定されるものではなく、種々の形態をとり得る。
【００３６】
軽い商品を陳列する際など、ベース脚１ｂの取付強度がそれ程要求されないときには、上下の連結金具９，１２のいずれか一方を省略することもできる。
【００３７】
側面板１９の上下寸法が大きいときは、ブラケット２２を下端部にも設けてもよい。
【００３８】
また、側面板１９の横移動規制手段は、上記軸状突部２４と係合孔２５の外に、例えばベース脚１ｂと側面板１９との当接面に形成した、互いに嵌合し合う前後方向を向く凸条と凹条とすることもできる。
【００３９】
収納空間Ｓ内に、引出し２８の代わりに、棚板を設けてもよい。
【００４０】
【発明の効果】
本発明によれば、次のような効果を奏する。
【００４１】
（ａ）請求項１に記載の発明によれば、支柱本体の強度が取付金具により高められ、しかも取付金具の係止孔にブラケットを取付けて棚板を支持し得るので、その支持強度も高くなり、より多くの棚板を取付けて商品の陳列量を増大することができる。また、ベース脚の後端部上面と、支柱本体の凹溝の溝底面とを、側面視Ｌ字形の上部連結金具により連結することで、支柱本体へのベース脚の取付部の強度が高まるとともに、上部連結金具の垂直片が凹溝内に収容されるので、見栄えが向上する。
【００４３】
（ｂ）請求項２に記載の発明によれば、上部連結金具の垂直片が、取付金具により覆われるようになるので、見栄えがより向上する。
【００４４】
（ｃ）請求項３に記載の発明によれば、上部連結金具の水平片が、ベース脚の上面より突出しなくなるので、体裁がよく、また、ベース脚の上面に棚板等を載置する際の障害になることがない。
【００４５】
（ｄ）請求項４に記載の発明によれば、支柱本体へのベース脚の取付強度が増すとともに、上部連結金具と併用すれば、ベース脚の取付部の強度がより一層高まる。
【００４６】
（ｅ）請求項５に記載の発明によれば、支柱本体とベース脚との内外の側面が同一面となるので、支柱に一体感が形成され、見栄えが向上する。
【図面の簡単な説明】
【図１】本発明を適用した商品陳列棚の斜視図である。
【図２】同じく、右方のベース脚取付部の分解斜視図である。
【図３】同じく、側面板を取付ける前のベース脚取付部の斜視図である。
【図４】同じく、図４のIV−IV線の横断平面図である。
【符号の説明】
１              支柱
１ａ            支柱本体
１ｂ            ベース脚
２              嵌合溝
３              後面板
４              連結杆
５              凹溝
６              嵌合突部
７              嵌合孔
８              軸状突部
９              上部連結金具
９ａ            水平片
９ｂ            垂直片
１０            ねじ
１１            凹部
１２            下部連結金具
１２ａ          水平片
１３            雌ねじ筒
１４            アジャスタボルト
１５            係止孔
１６            取付金具
１６ａ          側片
１７            皿ねじ
１８            棚板
１９            側面板
２０            凹部
２１            係合爪
２２            ブラケット
２３            ねじ
２４            軸状突部
２５            係合孔
２６            ベース棚板
２７            軸状突部
２８            引出し
Ｓ              収納空間
【図１】
0004145543.tif 000002
【図２】
0004145543.tif 000003
【図３】
0004145543.tif 000004
【図４】
0004145543.tif 000005